(57)【要約】【課題】  本発明の目的は、ＥＮＧカメラを担いだ際に、素早いズーム駆動などが必要で、かつアイリスを撮影者の意思によりアイリスを駆動したい場合においても、左手のみでズーム、フォーカス、アイリスの手動駆動を行う必要がなくなり、非常に高度な操作技術を不要とするレンズ装置を提供することにある。【解決手段】  そのため、本発明では、カメラ装置に接続され、且つ、ズームレンズと、アイリスと、前記ズームレンズを手動操作するズームレンズ手動操作手段と、前記ズームレンズを電動操作し且つ操作量に比例して出力が変化するズーム電動操作手段と、前記ズーム電動操作手段を操作した際に前記ズームレンズを駆動するのか、前記アイリスを制御するのかを切換える切換え手段と、を備えており、  前記ズーム電動操作手段を操作することで前記アイリスを制御可能とするモードを有する構成とする。【選択図】  図１
2011034095.tif 000002
【特許請求の範囲】
【請求項１】
カメラ装置に接続され、且つ、ズームレンズと、アイリスと、前記ズームレンズを手動操作するズームレンズ手動操作手段と、前記ズームレンズを電動操作し且つ操作量に比例して出力が変化するズーム電動操作手段と、前記ズーム電動操作手段を操作した際に前記ズームレンズを駆動するのか、前記アイリスを制御するのかを切換える切換え手段と、を備えており、
前記ズーム電動操作手段を操作することで前記アイリスを制御可能とするモードを有することを特徴とするレンズ装置。
【発明の詳細な説明】
【技術分野】
【０００１】
本発明は、テレビカメラ、ビデオカメラ、テレビレンズ、ビデオレンズなどに用いられるレンズ装置及びレンズ装置とレンズ装置に接続されたカメラ装置を備えた撮影装置に関するものである。
【背景技術】
【０００２】
ＥＮＧズームレンズをＥＮＧカメラに装着し、報道、中継、ドラマ、バラエティー、ドキュメンタリーなどの撮影内容、撮影場所、撮影状況、撮影者の好みなどにより、ＥＮＧカメラを三脚に固定する場合や、ＥＮＧカメラを担ぐ場合などして撮影される。同様な理由からズーム、フォーカス、アイリスを電動で駆動するのか、手動で駆動するのかを決定する。例えばズームを例に挙げると、素早いズーム駆動が必要な場合などには手動で駆動し、一定の低速度でズーム駆動を行う場合や、ＥＮＧカメラを三脚に固定しズーム駆動を手動で行えない場合などには電動で駆動する。
【０００３】
ＥＮＧカメラ用ズームレンズの上面外観図を図１２に、側面外観図を図１３に示す。
【０００４】
図１２、図１３に示すように、１００は図示されていないが内部に前方から順に、固定フォーカスレンズ、移動フォーカスレンズ、ズームレンズ、アイリス機構、およびリレーレンズ等が設けられ、その後方に、エクステンダーが配置されているレンズ鏡筒、１０１は回動させることにより移動フォーカスレンズが光軸に沿って前後移動してフォーカス調整を行うフォーカスリング、１０２は回動させることによりズームレンズが光軸に沿って前後移動してズーム調整を行うズームリング、１０３は回動させることによりアイリスの絞り径が調整されるアイリスリング、１０４はＥＮＧズームレンズの鏡筒に取り付けられ、ズーム、フォーカス、アイリスを電動で駆動するためのモータや、位置検出器、制御回路、ズーム、フォーカス、アイリスを電動で駆動するのか、手動で駆動するのかを切換えるクラッチ、スイッチなどが収められたドライブユニット、１０５はズームを電動で駆動する際に、そのコントロールを行うズームスイッチ、１０６はアイリスを電動で駆動するのか、手動で駆動するのかを切換えるアイリス電動／手動切換えスイッチ、１０７はＥＮＧレンズとＥＮＧカメラとの間の電気インターフェイスとなり、アイリスを電動で駆動する際の指令信号がＥＮＧカメラ側から供給されるカメラケーブル、１０８はズームを電動で駆動する際にズームスイッチ１０５の操作量に対するズームレンズの駆動速度を可変するズームスイッチ速度可変ボリューム、１０９はズームを電動で駆動するのか、手動で駆動するのかを切換えるズームクラッチ、１１０はフォーカスを電動で駆動するのか、手動で駆動するのかを切換えるフォーカスクラッチである。
【０００５】
上記構成において、ＥＮＧカメラを担ぐ場合のズームリング１０２、フォーカスリング１０１、アイリスリング１０３の駆動に関して説明する。
【０００６】
ズームリング１０２の駆動は、ズームクラッチ１０９を電動側に切換え、ズームスイッチ１０５を操作しズームリング１０２を電動で駆動するズームサーボモードと、ズームクラッチ１０９を手動側に切換え、ズームリング１０２を手動で駆動するズームマニュアルモードがある。
【０００７】
フォーカスリング１０１の駆動は、ＥＮＧカメラを担ぐ場合にはフォーカスを電動で駆動した際のコントロールを行う操作部材が配されていないため、フォーカスクラッチ１１０を手動側に切換え、フォーカスリング１０１を手動で駆動するフォーカスマニュアルモードのみとなる。
【０００８】
アイリスの駆動は、アイリス電動／手動切換えスイッチ１０６を電動側に切換え、ＥＮＧカメラ内の撮像素子に入射される光量が一定になるようにＥＮＧカメラ側からの制御によりアイリスリング１０３を電動で駆動するアイリスサーボモードと、アイリス電動／手動切換えスイッチを手動側に切換え、アイリスリング１０３を手動で駆動するマニュアルアイリスモードがある。アイリスの場合、撮影者の意思によるアイリスリング１０３の駆動を行う場合にはアイリスマニュアルモードを選択する必要がある。
【０００９】
また、ＥＮＧカメラを担いで、ズーム、フォーカス、アイリスを手動で駆動する場合には、ＥＮＧカメラの底面部に配されている肩パッドを肩の上に載せ、ドライブユニット１０４を右手で支えるため、ズームリング１０２、フォーカスリング１０１、アイリスリング１０３の手動駆動は左手のみで行うこととなる。
【発明の概要】
【発明が解決しようとする課題】
【００１０】
しかしながら、上記従来例によると、ＥＮＧカメラを担いだ際に、素早いズーム駆動が必要で、かつアイリスを撮影者の意思によりアイリスを駆動したい場合には、ズーム、フォーカス、アイリスを手動で駆動する必要が生じ、この場合には、右手は全く使用できず、左手のみでズーム、フォーカス、アイリスの手動駆動を行わなければならないために、非常に高度な操作技術を必要となる。
【００１１】
このような問題を鑑みて、本願の目的は、ドライブユニットに配置されているズームスイッチ、ズームスイッチ速度可変ボリュームなどに対して別の機能を割当てる手段を設けることにより、例えばズームを電動で駆動する際にそのコントロールを行うズームスイッチを操作することによりズームではなくアイリスを電動で駆動したり、ズームスイッチ速度可変ボリュームを操作することによりフォーカスを電動で駆動したりすることが可能となり、ＥＮＧカメラを担いだ際に、素早いズーム駆動などが必要で、かつアイリスを撮影者の意思によりアイリスを駆動したい場合においても、右手でアイリス、またはフォーカスを制御することができ、左手のみでズーム、フォーカス、アイリスの手動駆動を行う必要がなくなり、非常に高度な操作技術を不要とすることである。
【課題を解決するための手段】
【００１２】
上記目的を達成するために、本発明によれば、カメラ装置に接続され、且つ、ズームレンズと、アイリスと、前記ズームレンズを手動操作するズームレンズ手動操作手段と、前記ズームレンズを電動操作し且つ操作量に比例して出力が変化するズーム電動操作手段と、前記ズーム電動操作手段を操作した際に前記ズームレンズを駆動するのか、前記アイリスを制御するのかを切換える切換え手段と、を備えており、
前記ズーム電動操作手段を操作することで前記アイリスを制御可能とするモードを有することにより、
前記ズーム電動操作手段により前記アイリスの操作を可能としたことにより、ＥＮＧカメラを担いだ際に、素早いズーム駆動などが必要で、かつアイリスを撮影者の意思によりアイリスを駆動したい場合においても、右手でアイリスを制御することができ、左手のみでズーム、フォーカス、アイリスの手動駆動を行う必要がなくなり、非常に高度な操作技術を不要とすることが可能となる。
【発明の効果】
【００１３】
本発明によれば、カメラ装置に接続され、且つ、ズームレンズと、アイリスと、前記ズームレンズを手動操作するズームレンズ手動操作手段と、前記ズームレンズを電動操作し且つ操作量に比例して出力が変化するズーム電動操作手段と、前記ズーム電動操作手段を操作した際に前記ズームレンズを駆動するのか、前記アイリスを制御するのかを切換える切換え手段と、を備えており、
前記ズーム電動操作手段を操作することで前記アイリスを制御可能とするモードを有することにより、
前記ズーム電動操作手段により前記アイリスの操作を可能としたことにより、ＥＮＧカメラを担いだ際に、素早いズーム駆動などが必要で、かつアイリスを撮影者の意思によりアイリスを駆動したい場合においても、右手でアイリスを制御することができ、左手のみでズーム、フォーカス、アイリスの手動駆動を行う必要がなくなり、非常に高度な操作技術を不要とすることが可能となる。
【図面の簡単な説明】
【００１４】
【図１】第１の実施例のブロック図
【図２】第１の実施例のズームレンズ制御シーケンス
【図３】第１の実施例のアイリス機構制御シーケンス
【図４】第２の実施例のブロック図
【図５】第２の実施例のフォーカス機構制御シーケンス
【図６】第３の実施例のブロック図
【図７】第３の実施例のズームレンズ制御シーケンス
【図８】第３の実施例のアイリス機構制御シーケンス
【図９】第４の実施例のブロック図
【図１０】第４の実施例のズームレンズ制御シーケンス
【図１１】第４の実施例のフォーカス制御シーケンス
【図１２】従来のズームレンズの上面概観図
【図１３】従来のズームレンズの側面概観図
【発明を実施するための形態】
【００１５】
（実施例）
（第１の実施例）
以下に図面により本発明の第１の実施例の説明を行う。
【００１６】
本発明の第１の実施例を実施した光学装置の構成を図１に示す。
【００１７】
同図において、１は後述するズームレンズ光学系９を電動駆動するために、ズームスイッチ１０５の操作量に比例したズーム駆動方向およびズーム駆動速度を指示するズーム速度指令信号を検出するズーム速度指令信号発生手段である。ズーム速度指令信号発生手段１はポテンショメータ、ボリュームなどのアナログ検出器、ロータリーエンコーダなどのディジタル検出器のどちらでもよい、２はズーム速度指令信号を後述するＡ／Ｄ変換手段３に取り込むために信号レベル、シフト変換を行うズーム速度指令信号演算手段、３はズーム速度指令信号演算手段２から出力されるアナログ信号をディジタル信号に変換するＡ／Ｄ変換手段、４は各機能の動作を司るＣＰＵ、５はＣＰＵ４から後述するズームレンズ光学系９を電動駆動するため出力されるズーム制御信号をディジタル信号からアナログ信号に変換するＤ／Ａ変換手段、６はＤ／Ａ変換手段５から出力されるズーム制御信号の信号レベル、シフト変換を行うズーム制御信号演算手段、７は後述するズームモータ８を駆動するズーム電力増幅手段、８は後述するズームレンズ光学系９を駆動するズームモータ、９は光学装置の変倍調整を行うズームレンズ光学系、１０はズームレンズ光学系９の位置に応じたズーム位置信号を出力するズーム位置信号検出手段、１１はズーム位置信号を後述するＡ／Ｄ変換手段１２に取り込むために信号レベル、シフト変換を行うズーム位置信号演算手段、１２はズーム位置信号演算手段１１から出力されるアナログ信号をディジタル信号に変換するＡ／Ｄ変換手段、１３はＣＰＵ４から後述するフォーカスレンズ光学系１７を電動駆動するため出力されるフォーカス制御信号をディジタル信号からアナログ信号に変換するＤ／Ａ変換手段、１４はＤ／Ａ変換手段１３から出力されるフォーカス制御信号の信号レベル、シフト変換を行うフォーカス制御信号演算手段、１５は後述するフォーカスモータ１６を駆動するフォーカス電力増幅手段、１６は後述するフォーカスレンズ光学系１７を駆動するフォーカスモータ、１７は光学装置の焦点調整を行うフォーカスレンズ光学系、１８はフォーカスレンズ光学系１７の位置に応じたフォーカス位置信号を出力するフォーカス位置信号検出手段、１９はフォーカス位置信号を後述するＡ／Ｄ変換手段２０に取り込むために信号レベル、シフト変換を行うフォーカス位置信号演算手段、２０はフォーカス位置信号演算手段１９から出力されるアナログ信号をディジタル信号に変換するＡ／Ｄ変換手段、２１はＣＰＵ４から後述するアイリス機構２５を電動駆動するため出力されるアイリス制御信号をディジタル信号からアナログ信号に変換するＤ／Ａ変換手段、２２はＤ／Ａ変換手段２１から出力されるアイリス制御信号の信号レベル、シフト変換を行うアイリス制御信号演算手段、２３は後述するアイリスモータ２４を駆動するアイリス電力増幅手段、２４は後述するアイリス機構２５を駆動するアイリスモータ、２５は光学装置の光量調整を行うアイリス機構、２６はアイリス機構２５の位置に応じたアイリス位置信号を出力するアイリス位置信号検出手段、２７はアイリス位置信号を後述するＡ／Ｄ変換手段２８に取り込むために信号レベル、シフト変換を行うアイリス位置信号演算手段、２８はアイリス位置信号演算手段２７から出力されるアナログ信号をディジタル信号に変換するＡ／Ｄ変換手段、２９はズームスイッチ１０５の操作によりズーム速度指令信号発生手段１、ズーム速度指令信号演算手段２、Ａ／Ｄ変換手段３を介してＣＰＵ４に入力されたズーム速度指令信号をズーム駆動方向およびズーム駆動速度を指示するズーム速度指令信号として扱うか、アイリス駆動方向およびアイリス駆動速度を指示するアイリス速度指令信号として扱うかを切換えるズーム／アイリス切換え手段、３０はズームスイッチ速度可変ボリューム位置信号を後述するＡ／Ｄ変換手段３１に取り込むために信号レベル、シフト変換を行うズームスイッチ速度可変ボリューム位置信号演算手段、３１はズームスイッチ速度可変ボリューム位置信号演算手段３０から出力されるアナログ信号をディジタル信号に変換するＡ／Ｄ変換手段、３２はカメラ装置から光学装置に入力されるカメラアイリス位置指令信号（ＩＣＳ）を後述するＡ／Ｄ変換手段３３に取り込むために信号レベル、シフト変換を行うカメラアイリス位置指令信号演算手段、３３はカメラアイリス位置指令信号演算手段３２から出力されるアナログ信号をディジタル信号に変換するＡ／Ｄ変換手段、１０５はズームを電動で駆動する際に、そのコントロールを行うズームスイッチ、１０６はアイリスを電動で駆動するのか、手動で駆動するのかを切換えるアイリス電動／手動切換えスイッチ、１０８はズームを電動で駆動する際にズームスイッチ１０５の操作量に対するズームレンズの駆動速度を可変するズームスイッチ速度可変ボリュームである。ズームスイッチ速度可変ボリューム１０８はポテンショメータ、ボリュームなどのアナログ検出器、ロータリーエンコーダなどのディジタル検出器のどちらでもよい。１０９はズームを電動で駆動するのか、手動で駆動するのかを切換えるズームクラッチ、１１０はフォーカスを電動で駆動するのか、手動で駆動するのかを切換えるフォーカスクラッチである。
【００１８】
上記構成において、初めにズームレンズ光学系９の駆動を行う際の制御の説明を行う。ズームクラッチ１０９が電動側でかつズーム／アイリス切換え手段２９がズーム側に切換えられている場合には、ズームスイッチ１０５の操作により、ズームの電動駆動を行える。この場合、ズームスイッチ１０５の操作量に比例した駆動方向および駆動速度を指示するズーム速度指令信号を検出するズーム速度指令信号発生手段１から出力されるズーム速度指令信号が、ズーム速度指令信号演算手段２、Ａ／Ｄ変換手段３を介してＣＰＵ４に入力される。また、ズームを電動で駆動する際にズームスイッチ１０５の操作量に対するズームレンズの駆動速度を可変するズームスイッチ速度可変ボリューム１０８からズームスイッチ速度可変ボリューム位置信号がズームスイッチ速度可変ボリューム位置信号演算手段３０、Ａ／Ｄ変換手段３１を介してＣＰＵ４に入力される。ＣＰＵ４からは、ズーム速度指令信号とズームスイッチ速度可変ボリューム位置信号に応じてズーム制御信号を求め、Ｄ／Ａ変換手段５、ズーム制御信号演算手段１４を介してズーム電力増幅手段７によりズームモータ８を制御し、ズームレンズ光学系９が駆動される。また、ズームクラッチ１０９が手動側、またはズーム／アイリス切換え手段２９がアイリス側に切換えられている場合には、ズームスイッチ１０５の操作を行っても、ズームレンズ光学系９の電動駆動は行われない。
【００１９】
この時のＣＰＵ４の処理について図２を用いて説明する。
【００２０】
まず、ズームクラッチ１０９が電動側に切換えられているか否かを判断（ステップ１０１）し、ズームクラッチ１０９が電動側でない場合にはズームクラッチ１０９が電動側に切換えられているか否かの判断（ステップ１０１）に戻る。ズームクラッチ１０９が電動側である場合にはズーム／アイリス切換え手段２９がズーム側に切換えられているか否かを判断（ステップ１０２）し、ズーム／アイリス切換え手段２９がズーム側でない場合にはズームクラッチ１０９が電動側に切換えられているか否かの判断（ステップ１０１）に戻る。ズーム／アイリス切換え手段２９がズーム側である場合にはＡ／Ｄ変換手段３からズーム速度指令信号をＡとして取得（ステップ１０３）し、次にＡ／Ｄ変換手段３１からズームスイッチ速度可変ボリューム位置信号をＢとして取得（ステップ１０４）する。ズーム速度指令信号Ａとズームスイッチ速度可変ボリューム位置指令信号Ｂと定数Ｋ１の乗算を求め、これをズーム制御信号とする（ステップ１０５）。その後、ズーム制御信号をＤ／Ａ変換手段５に出力（ステップ１０６）し、ズームクラッチ１０９が電動側に切換えられているか否かの判断（ステップ１０１）に戻る。
【００２１】
次にアイリス機構２５の駆動を行う際の制御の説明を行う。アイリス電動／手動切換えスイッチ１０６が手動側でかつズーム／アイリス切換え手段２９がアイリス側に切換えられている場合には、ズームスイッチ１０５の操作により、アイリスの電動駆動を行える。この場合、ズームスイッチ１０５の操作量に比例した駆動方向および駆動速度を指示する指令信号を検出する指令信号発生手段１から出力されるズーム速度指令信号が、ズーム速度指令信号演算手段２、Ａ／Ｄ変換手段３を介してＣＰＵ４に入力される。ＣＰＵ４からは、ズーム速度指令信号に応じてアイリス制御信号を求め、Ｄ／Ａ変換手段２１、アイリス制御信号演算手段２２を介してアイリス電力増幅手段２３によりアイリスモータ２４を制御し、アイリス機構２５が駆動される。また、アイリス電動／手動切換えスイッチ１０６が電動側に切換えられている場合には、カメラ装置から光学装置に入力されるカメラアイリス位置指令信号（ＩＣＳ）により、アイリスの電動駆動を行える。この場合、カメラアイリス位置指令信号がカメラアイリス位置指令信号演算手段３２、Ａ／Ｄ変換手段を介してＣＰＵ４に入力される。また、アイリス機構２５の位置を検出するアイリス位置検出手段２６から出力されるアイリス位置信号がアイリス位置信号演算手段２７、Ａ／Ｄ変換手段２８を介してＣＰＵ４に入力される。ＣＰＵ４からは、カメラアイリス位置指令信号とアイリス位置信号との差に応じてアイリス制御信号を求め、Ｄ／Ａ変換手段２１、アイリス制御信号演算手段２２を介してアイリス電力増幅手段２３によりアイリスモータ２４を制御し、アイリス機構２５が駆動される。最後に、アイリス電動／手動切換えスイッチ１０６が手動側でかつズーム／アイリス切換え手段２９がズーム側に切換えられている場合には、アイリス機構２５は手動駆動を行える。
【００２２】
この時のＣＰＵ４の処理について図３を用いて説明する。
【００２３】
まず、アイリス電動／手動切換えスイッチ１０６が電動側に切換えられているか否かを判断（ステップ１１１）し、アイリス電動／手動切換えスイッチ１０６が電動側である場合にはＡ／Ｄ変換手段３３からカメラアイリス位置信号をＣとして取得（ステップ１１２）し、Ａ／Ｄ変換手段２８からアイリス位置信号をＤとして取得（ステップ１１３）する。次にカメラアイリス位置指令信号Ｃとアイリス位置信号Ｄとの差分を取り、その差分と定数Ｋ２の乗算を求め、これをアイリス制御信号とする（ステップ１１４）。その後、アイリス制御信号をＤ／Ａ変換手段２１に出力し（ステップ１１５）、アイリス電動／手動切換えスイッチ１０６が電動側に切換えられているか否かの判断（ステップ１１１）に戻る。アイリス電動／手動切換えスイッチ１０６が電動側でない場合には、ズーム／アイリス切換え手段２９がアイリス側に切換えられているか否かを判断（ステップ１１６）し、ズーム／アイリス切換え手段２９がアイリス側でない場合には、アイリス電動／手動切換えスイッチ１０６が電動側に切換えられているか否かの判断（ステップ１１１）に戻る。ズーム／アイリス切換え手段２９がアイリス側である場合には、Ａ／Ｄ変換手段３からズーム速度指令信号をＡとして取得（ステップ１１７）し、次にズーム速度指令信号Ａと定数Ｋ２の乗算を求め、これをアイリス制御信号とする（ステップ１１８）。その後、アイリス制御信号をＤ／Ａ変換手段２１に出力（ステップ１１５）し、アイリス電動／手動切換えスイッチ１０６が電動側に切換えられているか否かの判断（ステップ１１１）に戻る。
【００２４】
本実施例では、ズームスイッチを用いてアイリス機構を電動駆動する際の制御を速度制御としたが、ズームスイッチをズームスイッチの操作量に比例したズーム駆動位置を指示するものとし、ズームスイッチを用いてアイリス機構を電動駆動する際の制御を位置制御としてもよい。
【００２５】
また、本実施例では、ズームスイッチを用いてアイリス機構を電動駆動したが、電動駆動可能なマクロレンズの制御を速度制御、位置制御してもよい。
【００２６】
以上説明したように、ズームレンズ、フォーカスレンズおよびアイリス機構を有する光学装置、前記ズームレンズ、前記アイリス機構に設置された駆動手段、前記ズームレンズの前記駆動手段を制御することにより前記ズームレンズを操作するズーム操作手段、前記アイリス機構を電動駆動、手動駆動に切換えるアイリス駆動切換え手段を有する光学装置において、
前記ズーム操作手段を操作した際に前記ズームレンズを駆動するのか、前記アイリス機構を駆動するのかを切換える操作切換え手段を設けることにより、
前記ズーム操作手段により前記アイリス機構の電動駆動を可能としたことにより、ＥＮＧカメラを担いだ際に、素早いズーム駆動などが必要で、かつアイリスを撮影者の意思によりアイリスを駆動したい場合においても、右手でアイリスを制御することができ、左手のみでズーム、フォーカス、アイリスの手動駆動を行う必要がなくなり、非常に高度な操作技術を不要とすることが可能となる。
【００２７】
（第２の実施例）
第１の実施例では、ズームスイッチを用いてアイリスを電動駆動したが、フォーカスを電動駆動する構成とする光学装置を第２の実施例として以下に説明する。
【００２８】
以下に図面により本発明の第２の実施例の説明を行う。
【００２９】
第２の実施例を実施した光学装置の構成を図４に示す。
【００３０】
同図において、１〜２８、３０〜３３、１０５、１０６、１０８、１１０については前述したため、説明は省略する。
【００３１】
３４はズームスイッチ１０５の操作によりズーム速度指令信号発生手段１、ズーム速度指令信号演算手段２、Ａ／Ｄ変換手段３を介してＣＰＵ４に入力されたズーム速度指令信号をズーム駆動方向およびズーム駆動速度を指示するズーム速度指令信号として扱うか、フォーカス駆動方向およびフォーカス駆動速度を指示するフォーカス速度指令信号として扱うかを切換えるズーム／フォーカス切換え手段である。
【００３２】
以上の構成において、ズームレンズ光学系９の駆動を行う際の制御については第１の実施例と同様であるため説明を省略する。
【００３３】
フォーカスレンズ光学系１７の駆動を行う際の制御の説明を行う。フォーカスクラッチ１１０が電動側でかつズーム／フォーカス切換え手段３４がフォーカス側に切換えられている場合には、ズームスイッチ１０５の操作により、フォーカスの電動駆動を行える。この場合、ズームスイッチ１０５の操作量に比例した駆動方向および駆動速度を指示する指令信号を検出する指令信号発生手段１から出力されるズーム速度指令信号が、ズーム速度指令信号演算手段２、Ａ／Ｄ変換手段３を介してＣＰＵ４に入力される。ＣＰＵ４からは、ズーム速度指令信号に応じてフォーカス制御信号を求め、Ｄ／Ａ変換手段１３、フォーカス制御信号演算手段１４を介してフォーカス電力増幅手段１５によりフォーカスモータ１６を制御し、フォーカスレンズ光学系１７が駆動される。また、フォーカスクラッチ１１０が手動側、またはズーム／フォーカス切換え手段３４がズーム側に切換えられている場合には、ズームスイッチ１０５の操作を行っても、フォーカスレンズ光学系１７の電動駆動は行われない。
【００３４】
この時のＣＰＵ４の処理について図５を用いて説明する。
【００３５】
まず、フォーカスクラッチ１１０が電動側に切換えられているか否かを判断（ステップ１２１）し、フォーカスクラッチ１１０が電動側でない場合にはフォーカスクラッチ１１０が電動側に切換えられているか否かの判断（ステップ１２１）に戻る。フォーカスクラッチ１１０が電動側である場合にはズーム／フォーカス切換え手段３４がフォーカス側に切換えられているか否かを判断（ステップ１２２）し、ズーム／フォーカス切換え手段３４がフォーカス側でない場合にはフォーカスクラッチ１１０が電動側に切換えられているか否かの判断（ステップ１２１）に戻る。ズーム／フォーカス切換え手段３４がフォーカス側である場合にはＡ／Ｄ変換手段３からズーム速度指令信号をＡとして取得（ステップ１２３）し、次にズーム速度指令信号Ａと定数Ｋ４の乗算を求め、これをフォーカス制御信号とする（ステップ１２４）。その後、フォーカス制御信号をＤ／Ａ変換手段１３に出力（ステップ１２５）し、フォーカスクラッチ１１０が電動側に切換えられているか否かの判断（ステップ１２１）に戻る。
【００３６】
本実施例では、ズームスイッチを用いてフォーカスレンズ光学系を電動駆動する際の制御を速度制御としたが、ズームスイッチをズームスイッチの操作量に比例したズーム駆動位置を指示するものとし、ズームスイッチを用いてフォーカスレンズ光学系を電動駆動する際の制御を位置制御としてもよい。
【００３７】
以上説明したように、ズームレンズ、フォーカスレンズおよびアイリス機構を有する光学装置、前記ズームレンズ、前記フォーカスレンズに設置された駆動手段、前記ズームレンズの前記駆動手段を制御することにより前記ズームレンズを操作するズーム操作手段、前記フォーカスレンズを電動駆動、手動駆動に切換えるフォーカス駆動切換え手段を有する光学装置において、
前記ズーム操作手段を操作した際に前記ズームレンズを駆動するのか、前記フォーカスレンズを駆動するのかを切換える操作切換え手段を設けることにより、
前記ズーム操作手段により前記フォーカスレンズの電動駆動を可能としたことにより、ＥＮＧカメラを担いだ際に、素早いズーム駆動などが必要で、かつアイリスを撮影者の意思によりアイリスを駆動したい場合においても、右手でアイリスを制御することができ、左手のみでズーム、フォーカス、アイリスの手動駆動を行う必要がなくなり、非常に高度な操作技術を不要とすることが可能となる。
【００３８】
（第３の実施例）
第１の実施例では、ズームスイッチを用いてアイリスを電動駆動したが、ズームスイッチ速度可変ボリュームを用いてアイリスを電動駆動する構成とする光学装置を第３の実施例として以下に説明する。
【００３９】
以下に図面により本発明の第３の実施例の説明を行う。
【００４０】
第３の実施例を実施した光学装置の構成は図６に示す。
【００４１】
同図において、１〜２８、３０〜３３、１０５、１０６、１０８、１１０については前述したため、説明は省略する。
【００４２】
３５はズームスイッチ速度可変ボリューム１０８の操作によりズームスイッチ速度可変ボリューム位置信号演算手段３０、Ａ／Ｄ変換手段３３を介してＣＰＵ４に入力されたズームスイッチ速度可変ボリューム位置信号を、ズームを電動で駆動する際にズームスイッチ１０５の操作量に対するズームレンズの駆動速度を可変するズームスイッチ速度可変ボリューム位置信号として扱うか、アイリス駆動位置を指示するアイリス位置指令信号として扱うかを切換えるズーム／アイリス切換え手段である。
【００４３】
以上の構成において、ズームレンズ光学系９の駆動を行う際の制御について説明する。
【００４４】
ズームクラッチ１０９が電動側でかつズーム／アイリス切換え手段３５がズーム側に切換えられている場合には、ズームスイッチ１０５の操作により、ズームスイッチ速度可変ボリューム１０８も有効なズームの電動駆動を行える。この場合、ズームスイッチ１０５の操作量に比例した駆動方向および駆動速度を指示するズーム速度指令信号を検出するズーム速度指令信号発生手段１から出力されるズーム速度指令信号が、ズーム速度指令信号演算手段２、Ａ／Ｄ変換手段３を介してＣＰＵ４に入力される。また、ズームを電動で駆動する際にズームスイッチ１０５の操作量に対するズームレンズの駆動速度を可変するズームスイッチ速度可変ボリューム１０８からズームスイッチ速度可変ボリューム位置信号がズームスイッチ速度可変ボリューム位置信号演算手段３０、Ａ／Ｄ変換手段３１を介してＣＰＵ４に入力される。ＣＰＵ４からは、ズーム速度指令信号とズームスイッチ速度可変ボリューム位置信号に応じてズーム制御信号を求め、Ｄ／Ａ変換手段５、ズーム制御信号演算手段１４を介してズーム電力増幅手段７によりズームモータ８を制御し、ズームレンズ光学系９が駆動される。また、ズームクラッチ１０９が電動側でかつズーム／アイリス切換え手段３５がアイリス側に切換えられている場合には、ズームスイッチ１０５の操作により、ズームスイッチ速度可変ボリューム１０８が無効なズームの電動駆動を行える。この場合、ズームスイッチ１０５の操作量に比例した駆動方向および駆動速度を指示するズーム速度指令信号を検出するズーム速度指令信号発生手段１から出力されるズーム速度指令信号が、ズーム速度指令信号演算手段２、Ａ／Ｄ変換手段３を介してＣＰＵ４に入力される。ＣＰＵ４からは、ズーム速度指令信号に応じてズーム制御信号を求め、Ｄ／Ａ変換手段５、ズーム制御信号演算手段１４を介してズーム電力増幅手段７によりズームモータ８を制御し、ズームレンズ光学系９が駆動される。最後にズームクラッチ１０９が手動側に切換えられている場合には、ズームスイッチ１０５の操作を行っても、ズームレンズ光学系９の電動駆動は行われない。
【００４５】
この時のＣＰＵ４の処理について図７を用いて説明する。
【００４６】
まず、ズームクラッチ１０９が電動側に切換えられているか否かを判断（ステップ１３１）し、ズームクラッチ１０９が電動側でない場合にはズームクラッチ１０９が電動側に切換えられているか否かの判断（ステップ１３１）に戻る。ズームクラッチ１０９が電動側である場合にはＡ／Ｄ変換手段３からズーム速度指令信号をＡとして取得（ステップ１３２）し、ズーム／アイリス切換え手段３５がズーム側に切換えられているか否かを判断（ステップ１３３）する。ズーム／アイリス切換え手段３５がズーム側である場合にはＡ／Ｄ変換手段３１からズームスイッチ速度可変ボリューム位置信号をＢとして取得（ステップ１３４）する。ズーム速度指令信号Ａとズームスイッチ速度可変ボリューム位置指令信号Ｂと定数Ｋ１の乗算を求め、これをズーム制御信号とする（ステップ１３５）。その後、ズーム制御信号をＤ／Ａ変換手段５に出力（ステップ１３６）し、ズームクラッチ１０９が電動側に切換えられているか否かの判断（ステップ１３１）に戻る。ズーム／アイリス切換え手段３５がズーム側でない場合にはズーム速度指令信号Ａと定数Ｋ１の乗算を求め、これをズーム制御信号とする（ステップ１３７）。その後、ズーム制御信号をＤ／Ａ変換手段５に出力（ステップ１３６）し、ズームクラッチ１０９が電動側に切換えられているか否かの判断（ステップ１３１）に戻る。
【００４７】
次にアイリス機構２５の駆動を行う際の制御の説明を行う。アイリス電動／手動切換えスイッチ１０６が手動側でかつズーム／アイリス切換え手段３５がアイリス側に切換えられている場合には、ズームスイッチ速度可変ボリューム１０８の操作により、アイリスの電動駆動を行える。この場合、ズームスイッチ速度可変ボリューム１０８からズームスイッチ速度可変ボリューム位置信号がズームスイッチ速度可変ボリューム位置信号演算手段３０、Ａ／Ｄ変換手段３１を介してＣＰＵ４に入力される。また、アイリス機構２５の位置を検出するアイリス位置検出手段２６から出力されるアイリス位置信号がアイリス位置信号演算手段２７、Ａ／Ｄ変換手段２８を介してＣＰＵ４に入力される。ＣＰＵ４からは、ズームスイッチ速度可変ボリューム位置指令信号とアイリス位置信号との差に応じてアイリス制御信号を求め、Ｄ／Ａ変換手段２１、アイリス制御信号演算手段２２を介してアイリス電力増幅手段２３によりアイリスモータ２４を制御し、アイリス機構２５が駆動される。また、アイリス電動／手動切換えスイッチ１０６が電動側に切換えられている場合には、カメラ装置から光学装置に入力されるカメラアイリス位置指令信号（ＩＣＳ）により、アイリスの電動駆動を行える。この場合、カメラアイリス位置指令信号がカメラアイリス位置指令信号演算手段３２、Ａ／Ｄ変換手段を介してＣＰＵ４に入力される。また、アイリス機構２５の位置を検出するアイリス位置検出手段２６から出力されるアイリス位置信号がアイリス位置信号演算手段２７、Ａ／Ｄ変換手段２８を介してＣＰＵ４に入力される。ＣＰＵ４からは、カメラアイリス位置指令信号とアイリス位置信号との差に応じてアイリス制御信号を求め、Ｄ／Ａ変換手段２１、アイリス制御信号演算手段２２を介してアイリス電力増幅手段２３によりアイリスモータ２４を制御し、アイリス機構２５が駆動される。最後に、アイリス電動／手動切換えスイッチ１０６が手動側でかつズーム／アイリス切換え手段３５がズーム側に切換えられている場合には、アイリス機構２５は手動駆動を行える。
【００４８】
この時のＣＰＵ４の処理について図８を用いて説明する。
【００４９】
まず、アイリス電動／手動切換えスイッチ１０６が電動側に切換えられているか否かを判断（ステップ１４１）し、アイリス電動／手動切換えスイッチ１０６が電動側である場合にはＡ／Ｄ変換手段３３からカメラアイリス位置信号をＣとして取得（ステップ１４２）し、Ａ／Ｄ変換手段２８からアイリス位置信号をＤとして取得（ステップ１４３）する。次にカメラアイリス位置指令信号Ｃとアイリス位置信号Ｄとの差分を取り、その差分と定数Ｋ２の乗算を求め、これをアイリス制御信号とする（ステップ１４４）。その後、アイリス制御信号をＤ／Ａ変換手段２１に出力し（ステップ１４５）、アイリス電動／手動切換えスイッチ１０６が電動側に切換えられているか否かの判断（ステップ１４１）に戻る。アイリス電動／手動切換えスイッチ１０６が電動側でない場合には、ズーム／アイリス切換え手段３５がアイリス側に切換えられているか否かを判断（ステップ１４６）し、ズーム／アイリス切換え手段３５がアイリス側でない場合には、アイリス電動／手動切換えスイッチ１０６が電動側に切換えられているか否かの判断（ステップ１４１）に戻る。ズーム／アイリス切換え手段３５がアイリス側である場合には、Ａ／Ｄ変換手段３１からズームスイッチ速度可変ボリューム位置信号をＢとして取得（ステップ１４７）し、Ａ／Ｄ変換手段２８からアイリス位置信号をＤとして取得（ステップ１４８）する。次にズームスイッチ速度可変ボリューム位置信号Ｂとアイリス位置信号Ｄとの差分を取り、その差分と定数Ｋ２の乗算を求め、これをアイリス制御信号とする（ステップ１４９）。その後、アイリス制御信号をＤ／Ａ変換手段２１に出力し（ステップ１４５）、アイリス電動／手動切換えスイッチ１０６が電動側に切換えられているか否かの判断（ステップ１４１）に戻る。
【００５０】
本実施例では、ズームスイッチ速度可変ボリュームを用いてアイリス機構を電動駆動したが、電動駆動可能なマクロレンズの制御を速度制御、位置制御してもよい。
【００５１】
以上説明したように、ズームレンズ、フォーカスレンズおよびアイリス機構を有する光学装置、前記ズームレンズ、前記アイリス機構に設置された駆動手段、前記ズームレンズの前記駆動手段を制御することにより前記ズームレンズを操作するズーム操作手段、前記ズーム操作手段の操作量に対するズームレンズの駆動速度を可変するズーム操作速度可変手段、前記アイリス機構を電動駆動、手動駆動に切換えるアイリス駆動切換え手段を有する光学装置において、
前記ズーム操作速度可変手段を操作した際に前記ズームレンズを駆動する際の駆動速度を可変するのか、前記アイリス機構を駆動するのかを切換える操作切換え手段を設けることにより、
前記ズーム操作手段により前記アイリス機構の電動駆動を可能としたことにより、ＥＮＧカメラを担いだ際に、素早いズーム駆動などが必要で、かつアイリスを撮影者の意思によりアイリスを駆動したい場合においても、右手でアイリスを制御することができ、左手のみでズーム、フォーカス、アイリスの手動駆動を行う必要がなくなり、非常に高度な操作技術を不要とすることが可能となる。
【００５２】
（第４の実施例）
第２の実施例では、ズームスイッチを用いてフォーカスを電動駆動したが、ズームスイッチ速度可変ボリュームを用いてフォーカスを電動駆動する構成とする光学装置を第４の実施例として以下に説明する。
【００５３】
以下に図面により本発明の第４の実施例の説明を行う。
【００５４】
第４の実施例を実施した光学装置の構成は図９に示す。
【００５５】
同図において、１〜２８、３０〜３３、１０５、１０６、１０８、１１０については前述したため、説明は省略する。
【００５６】
３６はズームスイッチ速度可変ボリューム１０８の操作によりズームスイッチ速度可変ボリューム位置信号演算手段３０、Ａ／Ｄ変換手段３３を介してＣＰＵ４に入力されたズームスイッチ速度可変ボリューム位置信号を、ズームを電動で駆動する際にズームスイッチ１０５の操作量に対するズームレンズの駆動速度を可変するズームスイッチ速度可変ボリューム位置信号として扱うか、フォーカス駆動位置を指示するフォーカス位置指令信号として扱うかを切換えるズーム／フォーカス切換え手段である。
【００５７】
以上の構成において、ズームレンズ光学系９の駆動を行う際の制御について説明する。
【００５８】
ズームクラッチ１０９が電動側でかつズーム／フォーカス切換え手段３６がズーム側に切換えられている場合には、ズームスイッチ１０５の操作により、ズームスイッチ速度可変ボリューム１０８も有効なズームの電動駆動を行える。この場合、ズームスイッチ１０５の操作量に比例した駆動方向および駆動速度を指示するズーム速度指令信号を検出するズーム速度指令信号発生手段１から出力されるズーム速度指令信号が、ズーム速度指令信号演算手段２、Ａ／Ｄ変換手段３を介してＣＰＵ４に入力される。また、ズームを電動で駆動する際にズームスイッチ１０５の操作量に対するズームレンズの駆動速度を可変するズームスイッチ速度可変ボリューム１０８からズームスイッチ速度可変ボリューム位置信号がズームスイッチ速度可変ボリューム位置信号演算手段３０、Ａ／Ｄ変換手段３１を介してＣＰＵ４に入力される。ＣＰＵ４からは、ズーム速度指令信号とズームスイッチ速度可変ボリューム位置信号に応じてズーム制御信号を求め、Ｄ／Ａ変換手段５、ズーム制御信号演算手段１４を介してズーム電力増幅手段７によりズームモータ８を制御し、ズームレンズ光学系９が駆動される。また、ズームクラッチ１０９が電動側でかつズーム／フォーカス切換え手段３６がフォーカス側に切換えられている場合には、ズームスイッチ１０５の操作により、ズームスイッチ速度可変ボリューム１０８が無効なズームの電動駆動を行える。この場合、ズームスイッチ１０５の操作量に比例した駆動方向および駆動速度を指示するズーム速度指令信号を検出するズーム速度指令信号発生手段１から出力されるズーム速度指令信号が、ズーム速度指令信号演算手段２、Ａ／Ｄ変換手段３を介してＣＰＵ４に入力される。ＣＰＵ４からは、ズーム速度指令信号に応じてズーム制御信号を求め、Ｄ／Ａ変換手段５、ズーム制御信号演算手段１４を介してズーム電力増幅手段７によりズームモータ８を制御し、ズームレンズ光学系９が駆動される。最後にズームクラッチ１０９が手動側に切換えられている場合には、ズームスイッチ１０５の操作を行っても、ズームレンズ光学系９の電動駆動は行われない。
【００５９】
この時のＣＰＵ４の処理について図１０を用いて説明する。
【００６０】
まず、ズームクラッチ１０９が電動側に切換えられているか否かを判断（ステップ１５１）し、ズームクラッチ１０９が電動側でない場合にはズームクラッチ１０９が電動側に切換えられているか否かの判断（ステップ１５１）に戻る。ズームクラッチ１０９が電動側である場合にはＡ／Ｄ変換手段３からズーム速度指令信号をＡとして取得（ステップ１５２）し、ズーム／フォーカス切換え手段３６がズーム側に切換えられているか否かを判断（ステップ１５３）する。ズーム／フォーカス切換え手段３６がズーム側である場合にはＡ／Ｄ変換手段３１からズームスイッチ速度可変ボリューム位置信号をＢとして取得（ステップ１５４）する。ズーム速度指令信号Ａとズームスイッチ速度可変ボリューム位置指令信号Ｂと定数Ｋ１の乗算を求め、これをズーム制御信号とする（ステップ１５５）。その後、ズーム制御信号をＤ／Ａ変換手段５に出力（ステップ１５６）し、ズームクラッチ１０９が電動側に切換えられているか否かの判断（ステップ１５１）に戻る。ズーム／フォーカス切換え手段３６がズーム側でない場合にはズーム速度指令信号Ａと定数Ｋ１の乗算を求め、これをズーム制御信号とする（ステップ１５７）。その後、ズーム制御信号をＤ／Ａ変換手段５に出力（ステップ１５６）し、ズームクラッチ１０９が電動側に切換えられているか否かの判断（ステップ１５１）に戻る。
【００６１】
次にフォーカスレンズ光学系１７の駆動を行う際の制御の説明を行う。フォーカスクラッチ１１０が電動側でかつズーム／フォーカス切換え手段３６がフォーカス側に切換えられている場合には、ズームスイッチ速度可変ボリューム１０８の操作により、フォーカスの電動駆動を行える。この場合、ズームスイッチ速度可変ボリューム１０８からズームスイッチ速度可変ボリューム位置信号がズームスイッチ速度可変ボリューム位置信号演算手段３０、Ａ／Ｄ変換手段３１を介してＣＰＵ４に入力される。また、フォーカスレンズ光学系１７の位置を検出するフォーカス位置検出手段１８から出力されるフォーカス位置信号がフォーカス位置信号演算手段１９、Ａ／Ｄ変換手段２０を介してＣＰＵ４に入力される。ＣＰＵ４からは、ズームスイッチ速度可変ボリューム位置指令信号とフォーカス位置信号との差に応じてフォーカス制御信号を求め、Ｄ／Ａ変換手段１３、フォーカス制御信号演算手段１４を介してフォーカス電力増幅手段１５によりフォーカスモータ１６を制御し、フォーカスレンズ光学系１７が駆動される。また、フォーカスクラッチ１１０が手動側、またはズーム／フォーカス切換え手段３６がズーム側に切換えられている場合には、ズームスイッチ可変ボリューム１０８の操作を行っても、フォーカスレンズ光学系１７の電動駆動は行われない。
【００６２】
この時のＣＰＵ４の処理について図１１を用いて説明する。
【００６３】
まず、フォーカスクラッチ１１０が電動側に切換えられているか否かを判断（ステップ１６１）し、フォーカスクラッチ１１０が電動側でない場合にはフォーカスクラッチ１１０が電動側に切換えられているか否かの判断（ステップ１６１）に戻る。フォーカスクラッチ１１０が電動側である場合にはズーム／フォーカス切換え手段３６がフォーカス側に切換えられているか否かを判断（ステップ１６２）し、ズーム／フォーカス切換え手段３４がフォーカス側でない場合にはフォーカスクラッチ１１０が電動側に切換えられているか否かの判断（ステップ１６１）に戻る。ズーム／フォーカス切換え手段３６がフォーカス側である場合にはＡ／Ｄ変換手段３１からズームスイッチ速度可変ボリューム位置信号をＢとして取得（ステップ１６３）し、Ａ／Ｄ変換手段２０からフォーカス位置信号をＥとして取得（ステップ１６４）する。次にズームスイッチ速度可変ボリューム位置信号Ｂとフォーカス位置信号Ｅとの差分を取り、その差分と定数Ｋ４の乗算を求め、これをフォーカス制御信号とする（ステップ１６５）。その後、フォーカス制御信号をＤ／Ａ変換手段１３に出力し（ステップ１６６）、フォーカスクラッチ１１０が電動側に切換えられているか否かの判断（ステップ１６１）に戻る。
【００６４】
以上説明したように、ズームレンズ、フォーカスレンズおよびアイリス機構を有する光学装置、前記ズームレンズ、前記アイリス機構に設置された駆動手段、前記ズームレンズの前記駆動手段を制御することにより前記ズームレンズを操作するズーム操作手段、前記ズーム操作手段の操作量に対するズームレンズの駆動速度を可変するズーム操作速度可変手段、前記フォーカスレンズを電動駆動、手動駆動に切換えるフォーカス駆動切換え手段を有する光学装置において、
前記ズーム操作速度可変手段を操作した際に前記ズームレンズを駆動する際の駆動速度を可変するのか、前記フォーカスレンズを駆動するのかを切換える操作切換え手段を設けることにより、
前記ズーム操作手段により前記アイリス機構の電動駆動を可能としたことにより、ＥＮＧカメラを担いだ際に、素早いズーム駆動などが必要で、かつアイリスを撮影者の意思によりアイリスを駆動したい場合においても、右手でアイリスを制御することができ、左手のみでズーム、フォーカス、アイリスの手動駆動を行う必要がなくなり、非常に高度な操作技術を不要とすることが可能となる。
【００６５】
［本発明の実施態様］
本発明の様々な例と実施形態が示され説明されたが、当業者であれば、本発明の趣旨と範囲は本明細書内の特定の説明と図に限定されるのではなく、本願特許請求の範囲に全て述べられた様々の修正と変更に及ぶことが理解されるであろう。
【００６６】
本発明の実施態様の例を以下に列挙する。
【００６７】
［実施態様１］
カメラ装置に接続され、且つ、ズームレンズと、アイリスと、前記ズームレンズを手動操作するズームレンズ手動操作手段と、前記ズームレンズを電動操作し且つ操作量に比例して出力が変化するズーム電動操作手段と、前記ズーム電動操作手段を操作した際に前記ズームレンズを駆動するのか、前記アイリスを制御するのかを切換える切換え手段と、を備えており、
前記ズーム電動操作手段を操作することで前記アイリスを制御可能とするモードを有することを特徴とするレンズ装置。
【００６８】
「実施態様２」
カメラ装置に接続され、且つ、ズームレンズと、マクロレンズと、前記ズームレンズを手動操作するズームレンズ手動操作手段と、前記ズームレンズを電動操作し且つ操作量に比例して出力が変化するズーム電動操作手段と、前記ズーム電動操作手段を操作した際に前記ズームレンズを駆動するのか、前記マクロレンズを制御するのかを切換える切換え手段と、を備えており、
前記ズーム電動操作手段を操作することで前記マクロレンズを制御可能とするモードを有することを特徴とするレンズ装置。
【００６９】
「実施態様３」
カメラ装置に接続され、且つ、ズームレンズと、フォーカスレンズと、前記ズームレンズを手動操作するズームレンズ手動操作手段と、前記ズームレンズを電動操作し且つ操作量に比例して出力が変化するズーム電動操作手段と、前記ズーム電動操作手段を操作した際に前記ズームレンズを駆動するのか、前記フォーカスレンズを制御するのかを切換える切換え手段と、を備えており、
前記ズーム電動操作手段を操作することで前記フォーカスレンズを制御可能とするモードを有することを特徴とするレンズ装置。
【００７０】
「実施態様４」
カメラ装置に接続され、且つ、ズームレンズと、アイリスと、前記ズームレンズを手動操作するズームレンズ手動操作手段と、前記ズームレンズの駆動速度を可変し且つ操作量に比例して出力が変化するズーム速度可変操作手段と、前記ズーム速度可変操作手段を操作した際に前記ズームレンズを駆動するのか、前記アイリスを制御するのかを切換える切換え手段と、を備えており、
前記ズーム速度可変操作手段を操作することで前記アイリスを制御可能とするモードを有することを特徴とするレンズ装置。
【００７１】
「実施態様５」
カメラ装置に接続され、且つ、ズームレンズと、マクロレンズと、前記ズームレンズを手動操作するズームレンズ手動操作手段と、前記ズームレンズの駆動速度を可変し且つ操作量に比例して出力が変化するズーム速度可変操作手段と、前記ズーム速度可変操作手段を操作した際に前記ズームレンズを駆動するのか、前記マクロレンズを制御するのかを切換える切換え手段と、を備えており、
前記ズーム速度可変操作手段を操作することで前記マクロレンズを制御可能とするモードを有することを特徴とするレンズ装置。
【００７２】
「実施態様６」
カメラ装置に接続され、且つ、ズームレンズと、フォーカスレンズと、前記ズームレンズを手動操作するズームレンズ手動操作手段と、前記ズームレンズの駆動速度を可変し且つ操作量に比例して出力が変化するズーム速度可変操作手段と、前記ズーム速度可変操作手段を操作した際に前記ズームレンズを駆動するのか、前記フォーカスレンズを制御するのかを切換える切換え手段と、を備えており、
前記ズーム速度可変操作手段を操作することで前記フォーカスレンズを制御可能とするモードを有することを特徴とするレンズ装置。
【００７３】
「実施態様７」
実施態様１〜６のいづれか一項記載のレンズ装置と、前記レンズ装置に接続されたカメラ装置を有する撮影装置。
【符号の説明】
【００７４】
１  ズーム速度指令信号発生手段
２  ズーム速度指令信号演算手段
３、１２、２０、２８、３１、３３  Ａ／Ｄ変換手段
４  ＣＰＵ
５、１３、２１  Ｄ／Ａ変換手段
６  ズーム制御信号演算手段
７  ズーム電力増幅手段
８  ズームモータ
９  ズームレンズ光学系
１０  ズーム位置信号検出手段
１１  ズーム位置信号演算手段
１４  フォーカス制御信号演算手段
１５  フォーカス電力増幅手段
１６  フォーカスモータ
１７  フォーカスレンズ光学系
１８  フォーカス位置検出手段
１９  フォーカス位置信号演算手段
２２  アイリス制御信号演算手段
２３  アイリス電力増幅手段
２４  アイリスモータ
２５  アイリス機構
２６  アイリス位置検出手段
２７  アイリス位置信号演算手段
２９、３５  ズーム／アイリス切換え手段
３０  ズームスイッチ速度可変ボリューム位置信号演算手段
３２  カメラアイリス位置指令信号演算手段
３４、３６  ズーム／フォーカス切換え手段
１００  レンズ鏡筒
１０１  フォーカスリング
１０２  ズームリング
１０３  アイリスリング
１０４  ドライブユニット
１０５  ズームスイッチ
１０６  アイリス電動／手動切換えスイッチ
１０７  カメラケーブル
１０８  ズームスイッチ速度可変ボリューム
１０９  ズームクラッチ
１１０  フォーカスクラッチ
【図１】
2011034095.tif 000003
【図２】
2011034095.tif 000004
【図３】
2011034095.tif 000005
【図４】
2011034095.tif 000006
【図５】
2011034095.tif 000007
【図６】
2011034095.tif 000008
【図７】
2011034095.tif 000009
【図８】
2011034095.tif 000010
【図９】
2011034095.tif 000011
【図１０】
2011034095.tif 000012
【図１１】
2011034095.tif 000013
【図１２】
2011034095.tif 000014
【図１３】
2011034095.tif 000015